【手続補正書】
【提出日】平成18年3月22日(2006.3.22)
【手続補正１】
【補正対象書類名】明細書
【補正対象項目名】発明の名称
【補正方法】変更
【補正の内容】
【発明の名称】ゲームサイト運営装置、ゲームサイト運営プログラム及び当該ゲームサイト運営プログラムを記録したコンピュータ読み取り可能な記録媒体
【手続補正２】
【補正対象書類名】明細書
【補正対象項目名】特許請求の範囲
【補正方法】変更
【補正の内容】
【特許請求の範囲】
【請求項１】
サーバーが運営するゲームサイトで賞品を提供するようにしたゲームサイト運営装置において、
賞品データテーブルおよび広告データテーブルを記憶する記憶部を備えたサーバーが前記賞品データテーブルに基づいた賞品一覧および、当該賞品一覧に対応する、前記広告データテーブルに基づいた広告を、前記ゲームサイトに接続した端末装置の表示部に表示可能にする手段、
前記賞品一覧の中から前記端末装置の入力部を用いて１または２以上の賞品を選択すると、当該選択された賞品に対応する広告を前記端末装置の表示部に表示し、前記広告の表示を終了すると、前記端末装置で前記ゲームを所定回数実行可能にし、前記ゲームの結果が当選である場合に、前記サーバーが前記当選を証明する１次当選番号を発行する手段、
前記１次当選番号に基づいて賞品の提供がなされたものの中から抽選を行い、前記サーバーが前記抽選を証明する２次当選番号を発行する手段からなることを特徴とするゲームサイト運営装置。
【請求項２】
サーバーが運営するゲームサイトで賞品を提供するようにしたゲームサイト運営プログラムにおいて、
賞品データテーブルおよび広告データテーブルを記憶する記憶部を備えたサーバーが前記賞品データテーブルに基づいた賞品一覧および、当該賞品一覧に対応する、前記広告データテーブルに基づいた広告を、前記ゲームサイトに接続した端末装置の表示部に表示可能にする手段、
前記賞品一覧の中から前記端末装置の入力部を用いて１または２以上の賞品を選択すると、当該選択された賞品に対応する広告を前記端末装置の表示部に表示し、前記広告の表示を終了すると、前記端末装置で前記ゲームを所定回数実行可能にし、前記ゲームの結果が当選である場合に、前記サーバーが前記当選を証明する１次当選番号を発行する手段、
前記１次当選番号に基づいて賞品の提供がなされたものの中から抽選を行い、前記サーバーが前記抽選を証明する２次当選番号を発行する手段として機能させることを特徴とするゲームサイト運営プログラム。
【請求項３】
サーバーが運営するゲームサイトで賞品を提供するようにしたゲームサイト運営プログラムを記録したコンピュータ読み取り可能な記録媒体において、
賞品データテーブルおよび広告データテーブルを記憶する記憶部を備えたサーバーが前記賞品データテーブルに基づいた賞品一覧および、当該賞品一覧に対応する、前記広告データテーブルに基づいた広告を、前記ゲームサイトに接続した端末装置の表示部に表示可能にする手段、
前記賞品一覧の中から前記端末装置の入力部を用いて１または２以上の賞品を選択すると、当該選択された賞品に対応する広告を前記端末装置の表示部に表示し、前記広告の表示を終了すると、前記端末装置で前記ゲームを所定回数実行可能にし、前記ゲームの結果が当選である場合に、前記サーバーが前記当選を証明する１次当選番号を発行する手段、
前記１次当選番号に基づいて賞品の提供がなされたものの中から抽選を行い、前記サーバーが前記抽選を証明する２次当選番号を発行する手段として機能させるゲームサイト運営プログラムを記録したことを特徴とするコンピュータ読み取り可能な記録媒体。
【請求項４】
前記ゲームサイトに接続する毎に端末装置で実行可能な前記ゲームの回数に、上限値を設定していることを特徴とする請求項１に記載のゲームサイト運営装置。
【請求項５】
前記１次当選番号および賞品の提供先に係る情報を前記サーバーの記憶部に記憶することを特徴とする請求項１に記載のゲームサイト運営装置。
【請求項６】
前記賞品の提供可能な店舗のコンピュータは、前記サーバーに接続して、前記サーバーの記憶部に記憶された前記１次当選番号および賞品の提供先に係る情報を参照し、賞品の提供に係る賞品提供済み情報を前記サーバーに送信することを特徴とする請求項１に記載のゲームサイト運営装置。
【請求項７】
前記選択された賞品の種類に応じて前記ゲームの結果が当選となる確率を設定していることを特徴とする請求項１に記載のゲームサイト運営装置。
【請求項８】
前記ゲームの結果が当選にならずにゲームが繰り返し実行される場合に、前記ゲームの繰り返し回数の多さに応じてゲームの結果が当選となる確率を高くすることを特徴とする請求項１に記載のゲームサイト運営装置。
【請求項９】
前記端末装置が前記ゲームサイトに接続するとき、前記ゲームサイトへの前回の接続において、前記端末装置の表示部に前記賞品の広告が表示された状況を前記サーバーの記憶部に記録するようにしたことを特徴とする請求項１に記載のゲームサイト運営装置。
【請求項１０】前記請求項４、５、６、７、８または９に記載のゲームサイト運営装置を機能させることを特徴とするゲームサイト運営プログラム。
【請求項１１】前記請求項４、５、６、７、８または９に記載のゲームサイト運営装置を機能させるゲームサイト運営プログラムを記録したことを特徴とするコンピュータ読み取り可能な記録媒体。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
［４］前記ゲームサイトに接続する毎に端末装置（２０）で実行可能な前記ゲームの回数に、上限値（ｎ２）を設定していることを特徴とする［１］に記載のゲームサイト運営装置。
【手続補正５】
【補正対象書類名】明細書
【補正対象項目名】００１２
【補正方法】変更
【補正の内容】
【００１２】
［５］前記１次当選番号および賞品の提供先に係る情報を前記サーバー（１０）の記憶部（１１）に記憶することを特徴とする［１］に記載のゲームサイト運営装置。
【手続補正６】
【補正対象書類名】明細書
【補正対象項目名】００１３
【補正方法】変更
【補正の内容】
【００１３】
［６］前記賞品の提供可能な店舗のコンピュータ（３０）は、前記サーバー（１０）に接続して、前記サーバー（１０）の記憶部（１１）に記憶された前記１次当選番号および賞品の提供先に係る情報を参照し、賞品の提供に係る賞品提供済み情報を前記サーバー（１０）に送信することを特徴とする［１］に記載のゲームサイト運営装置。
【手続補正７】
【補正対象書類名】明細書
【補正対象項目名】００１４
【補正方法】変更
【補正の内容】
【００１４】
［７］前記選択された賞品の種類に応じて前記ゲームの結果が当選となる確率を設定していることを特徴とする［１］に記載のゲームサイト運営装置。
【手続補正８】
【補正対象書類名】明細書
【補正対象項目名】００１５
【補正方法】変更
【補正の内容】
【００１５】
［８］前記ゲームの結果が当選にならずにゲームが繰り返し実行される場合に、前記ゲームの繰り返し回数の多さに応じてゲームの結果が当選となる確率を高くすることを特徴とする［１］に記載のゲームサイト運営装置。
【手続補正９】
【補正対象書類名】明細書
【補正対象項目名】００１６
【補正方法】変更
【補正の内容】
【００１６】
［９］前記端末装置（２０）が前記ゲームサイトに接続するとき、前記ゲームサイトへの前回の接続において、前記端末装置（２０）の表示部（２１）に前記賞品の広告が表示された状況を前記サーバー（１０）の記憶部（１１）に記録するようにしたことを特徴とする［１］に記載のゲームサイト運営装置。
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】変更
【補正の内容】
【００１９】
［１０］［４］、［５］、［６］、［７］、［８］または［９］に記載のゲームサイト運営装置を機能させることを特徴とするゲームサイト運営プログラム。
【手続補正１３】
【補正対象書類名】明細書
【補正対象項目名】００２０
【補正方法】変更
【補正の内容】
【００２０】
［１１］［４］、［５］、［６］、［７］、［８］または［９］に記載のゲームサイト運営装置を機能させるゲームサイト運営プログラムを記録したことを特徴とするコンピュータ読み取り可能な記録媒体。